Podtech/llm-jp-corpus-v4-ja_patent huggingface dataset:
【手続補正書】
【提出日】平成28年6月8日(2016.6.8)
【手続補正１】
【補正対象書類名】特許請求の範囲
【補正対象項目名】全文
【補正方法】変更
【補正の内容】
【特許請求の範囲】
【請求項１】
アルキルレゾルシノールの一種または二種以上を含有し、液晶相を経由して調製されることを特徴とする皮膚外用剤。
【請求項２】
液晶相が以下の成分（Ａ）〜（Ｃ）を構成成分とすることを特徴とする請求項１記載の皮膚外用剤。
（Ａ）多価アルコール
（Ｂ）リン脂質
（Ｃ）ポリグリセリン脂肪酸エステル
【請求項３】
ポリグリセリン脂肪酸エステルがポリグリセリンの脂肪酸モノエステル及びポリグリセリンの脂肪酸ジエステルからなる群から選択される一種または二種以上であることを特徴とする請求項１または請求項２記載の皮膚外用剤。
【請求項４】
リン脂質及びポリグリセリン脂肪酸エステルを含有する多価アルコール相に水を添加して、液晶相を形成させた後、該液晶相に、油相、次いでアルキルレゾルシノールの一種または二種以上を含有する水相を順次添加して乳化を行って調製することを特徴とする請求項１〜３いずれか１項記載の皮膚外用剤。
【請求項５】
リン脂質及びポリグリセリン脂肪酸エステルを含有する多価アルコール相に水を添加して、液晶相を形成させた後、該液晶相に、油相、次いでアルキルレゾルシノールの一種または二種以上を含有する水相を順次添加して乳化を行って調製することを特徴とする皮膚外用剤の製造方法。
【請求項６】
ポリグリセリン脂肪酸エステルがポリグリセリンの脂肪酸モノエステル及びポリグリセリンの脂肪酸ジエステルからなる群から選択される一種または二種以上であることを特徴とする請求項５記載の皮膚外用剤の製造方法。
【手続補正２】
【補正対象書類名】明細書
【補正対象項目名】０００８
【補正方法】変更
【補正の内容】
【０００８】
前述した、従来技術の課題を鑑み、発明者等はスキンケア効果に優れるとともに、美白成分の経皮吸収性に優れる皮膚外用剤を求めて鋭意研究した結果、アルキルレゾルシノールの一種または二種以上を含有し、液晶状態を経て乳化された皮膚外用剤が課題を解決することを見出し、本発明に至った。すなわち、本発明は以下に示すとおりである。
（１）アルキルレゾルシノールの一種または二種以上を含有し、液晶相を経由して調製されることを特徴とする皮膚外用剤。
（２）液晶相が以下の成分（Ａ）〜（Ｃ）を構成成分とすることを特徴とする（１）記載の皮膚外用剤。
（Ａ）多価アルコール
（Ｂ）リン脂質
（Ｃ）ポリグリセリン脂肪酸エステル
（３）ポリグリセリン脂肪酸エステルがポリグリセリンの脂肪酸モノエステル及びポリグリセリンの脂肪酸ジエステルからなる群から選択される一種または二種以上であることを特徴とする（１）または（２）記載の皮膚外用剤。
（４）リン脂質及びポリグリセリン脂肪酸エステルを含有する多価アルコール相に水を添加して、液晶相を形成させた後、該液晶相に、油相、次いでアルキルレゾルシノールの一種または二種以上を含有する水相を順次添加して乳化を行って調製することを特徴とする（１）〜（３）いずれかに記載の皮膚外用剤。
（５）リン脂質及びポリグリセリン脂肪酸エステルを含有する多価アルコール相に水を添加して、液晶相を形成させた後、該液晶相に、油相、次いでアルキルレゾルシノールの一種または二種以上を含有する水相を順次添加して乳化を行って調製することを特徴とする皮膚外用剤の製造方法。
（６）ポリグリセリン脂肪酸エステルがポリグリセリンの脂肪酸モノエステル及びポリグリセリンの脂肪酸ジエステルからなる群から選択される一種または二種以上であることを特徴とする（５）記載の皮膚外用剤の製造方法。
【手続補正３】
【補正対象書類名】明細書
【補正対象項目名】００１４
【補正方法】変更
【補正の内容】
【００１４】
＜３＞ 本発明の皮膚外用剤における液晶の構成成分であるポリグリセリン脂肪酸エステル
本発明の皮膚外用剤はポリグリセリン脂肪酸エステルを構成成分とする液晶相を経由して調製されることを特徴とする。安定な液晶相が形成されることから、該ポリグリセリン脂肪酸エステルのグリセリンの重合度としては、２〜１０が好ましく、２〜４がより好ましく、脂肪酸としては炭素数６〜２０の不飽和又は分岐状の脂肪酸が好ましく、その内でも、オレイン酸及びイソステアリン酸が特に好ましい。また、安定な液晶相が形成されることから、ポリグリセリンの脂肪酸モノエステル及び脂肪酸ジエステルが好ましい。これらのポリグリセリン脂肪酸エステルには市販品が多く存在するので、それらを入手して使用することが可能である。
【手続補正４】
【補正対象書類名】明細書
【補正対象項目名】００１９
【補正方法】変更
【補正の内容】
【００１９】
本発明の皮膚外用剤としては乳液、クリーム等が例示できる。また、その製法としては、乳化工程を通じて、安定性が保持できる液晶相が形成できることから、リン脂質及びポリグリセリン脂肪酸エステルを含有する多価アルコール相に水を添加して、液晶相を形成させた後、該液晶相に、油相、次いでアルキルレゾルシノールの一種または二種以上を含有する水相を順次添加して乳化を行って調製する製法をとることが好ましい。
【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
シート収納手段から搬送されるシートに画像を形成する画像形成装置であって、
第１のシート収納手段に補充すべきシートの保管場所を示す第１の情報を記憶し、前記第１のシート収納手段とは異なる第２のシート収納手段に補充すべきシートの保管場所を示す第２の情報を記憶する記憶手段と、
前記第１のシート収納手段に収納されたシートの量が所定の量になったことに従って前記記憶手段に記憶された第１の情報に基づく通知を行い、前記第２のシート収納手段に収納されたシートの量が所定の量になったことに従って前記記憶手段に記憶された第２の情報に基づく通知を行う通知手段と、
を備えることを特徴とする画像形成装置。
【請求項２】
前記第１のシート収納手段に補充すべきシートの保管場所を示す前記第１の情報を、別の保管場所を示す第３の情報に変更する変更手段をさらに備えることを特徴とする請求項１に記載の画像形成装置。
【請求項３】
前記通知手段は、前記第１のシート収納手段に収納されたシートの量が所定の量になったことに従って前記記憶手段に記憶された第１の情報に基づく表示を表示手段に行い、前記第２のシート収納手段に収納されたシートの量が所定の量になったことに従って前記記憶手段に記憶された第２の情報に基づく表示を前記表示手段に行うことを特徴とする請求項１または２記載の画像形成装置。
【請求項４】
前記通知手段は、前記第１のシート収納手段に収納されたシートの量が所定の量になったことに従って前記記憶手段に記憶された第１の情報に基づく音声を音声出力手段によって出力し、前記第２のシート収納手段に収納されたシートの量が所定の量になったことに従って前記記憶手段に記憶された第２の情報に基づく音声を前記音声出力手段によって出力することを特徴とする請求項１または２記載の画像形成装置。
【請求項５】
ジョブで指定されたシートの情報に従って、当該ジョブの給紙元として使用する前記第１のシート収納手段または前記第２のシート収納手段を選択する選択手段をさらに備えることを特徴とする請求項１乃至４のいずれか１項に記載の画像形成装置。
【請求項６】
シート収納手段から搬送されるシートに画像を形成する画像形成装置の制御方法であって、
第１のシート収納手段に補充すべきシートの保管場所を示す第１の情報を記憶し、前記第１のシート収納手段とは異なる第２のシート収納手段に補充すべきシートの保管場所を示す第２の情報を記憶手段に記憶する記憶工程と、
前記第１のシート収納手段にシートを補充すべき場合に前記記憶手段に記憶された第１の情報に基づいて通知を行い、前記第２のシート収納手段にシートを補充すべき場合に前記記憶手段に記憶された第２の情報に基づいて通知を行う通知工程と、
を備えることを特徴とする画像形成装置の制御方法。
【請求項７】
請求項６に記載の画像形成装置の制御方法をコンピュータに実行させることを特徴とするプログラム。
【請求項８】
シート収納手段から搬送されるシートに画像を形成する画像形成装置であって、
ユーザから受け付けた第１のメッセージを第１のシート収納手段に関連付けて記憶し、ユーザから受け付けた第２のメッセージを前記第１のシート収納手段とは異なる第２のシート収納手段に関連付けて記憶する記憶手段と、
前記第１のシート収納手段に収納されたシートの量が所定の量になったことに従って前記記憶手段に記憶された第１のメッセージを通知し、前記第２のシート収納手段に収納されたシートの量が所定の量になったことに従って前記記憶手段に記憶された第２のメッセージを通知する通知手段と、
を備えることを特徴とする画像形成装置。
【手続補正２】
【補正対象書類名】明細書
【補正対象項目名】０００６
【補正方法】変更
【補正の内容】
【０００６】
本発明は、上記の課題を解決するためになされたものである。本願請求項１に係る発明の目的は、第１のシート収納部に収納されたシートの量が所定の量になったことに従って第１のシート収納部に補充すべきシートの保管場所を示す第１の情報に基づく通知を行い、第２のシート収納部に収納されたシートの量が所定の量になったことに従って第２のシート収納手段に補充すべきシートの保管場所を示す第２の情報に基づく通知を行う仕組みを提供することである。
【手続補正３】
【補正対象書類名】明細書
【補正対象項目名】０００７
【補正方法】変更
【補正の内容】
【０００７】
上記目的を達成する本発明の画像形成装置は以下に示す構成を備える。
シート収納部から搬送されるシートに画像を形成する画像形成装置であって、第１のシート収納部に補充すべきシートの保管場所を示す第１の情報を記憶し、前記第１のシート収納手段とは異なる第２のシート収納手段に補充すべきシートの保管場所を示す第２の情報を記憶する記憶手段と、前記第１のシート収納手段に収納されたシートの量が所定の量になったことに従って前記記憶手段に記憶された第１の情報に基づく通知を行い、前記第２のシート収納手段に収納されたシートの量が所定の量になったことに従って前記記憶手段に記憶された第２の情報に基づく通知を行う通知手段と、を備えることを特徴とする。 
【手続補正４】
【補正対象書類名】明細書
【補正対象項目名】０００８
【補正方法】変更
【補正の内容】
【０００８】
本願請求項１に係る発明によれば、第１のシート収納部に収納されたシートの量が所定の量になったことに従って第１のシート収納部に補充すべきシートの保管場所を示す第１の情報に基づく通知を行い、第２のシート収納部に収納されたシートの量が所定の量になったことに従って第２のシート収納手段に補充すべきシートの保管場所を示す第２の情報に基づく通知を行うことができる。
【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
基材とインク受容層とを有する記録媒体であって、
前記インク受容層が、アルミナ粒子と、シリカ粒子と、バインダーとを含有し、
前記記録媒体を、記録媒体の表面に対して略垂直方向に、表面側から基材側に向かって下記のエッチング条件でエッチングしながら、Ｘ線光電子分光法による組成分析を行ったときに、エッチング時間０分でのＡｌ元素とＳｉ元素の合計の存在量に対するＳｉ元素の存在量の比率が、１０ａｔｏｍ％以上９０ａｔｏｍ％以下であり、エッチング時間５分でのＡｌ元素とＳｉ元素の合計の存在量に対するＳｉ元素の存在量の比率が、５０ａｔｏｍ％以上であることを特徴とする記録媒体。
（エッチング条件）
アルゴンガスを用い、前記アルゴンガスの出力を２５．６Ｗ（４ｋＶ×６．４μＡ）とし、エッチング角度４５度でエッチングを行う。
【請求項２】
エッチング時間２０分でのＡｌ元素とＳｉ元素の合計の存在量に対するＳｉ元素の存在量の比率が、９０ａｔｏｍ％以下である請求項１に記載の記録媒体。
【請求項３】
前記シリカ粒子が、平均一次粒径が３０ｎｍ以上１００ｎｍ以下のコロイダルシリカである請求項１又は２に記載の記録媒体。
【請求項４】
前記アルミナ粒子の平均二次粒径が、５０ｎｍ以上３００ｎｍ以下である請求項１乃至３の何れか１項に記載の記録媒体。
【請求項５】
前記インク受容層が、前記アルミナ粒子として、アルミナ水和物及び気相法アルミナを共に含有する請求項１乃至４の何れか１項に記載の記録媒体。
【請求項６】
前記インク受容層中の、前記アルミナ粒子及び前記シリカ粒子の合計の含有量が、５０質量％以上９８質量％以下である請求項１乃至５の何れか１項に記載の記録媒体。
【請求項７】
前記インク受容層中の、前記バインダーの含有量が、前記アルミナ粒子及び前記シリカ粒子の合計の含有量に対して、８．０質量％以上３０．０質量％以下である請求項１乃至６の何れか１項に記載の記録媒体。
【請求項８】
前記バインダーが、シラノール基を有するポリビニルアルコールである請求項１乃至７の何れか１項に記載の記録媒体。
【請求項９】
請求項１乃至８の何れか１項に記載の記録媒体を製造する記録媒体の製造方法であって、
基材上に、アルミナ粒子を含有する塗工液と、シリカ粒子及びバインダーを含有する塗工液とを同時多層塗工法により塗工することで前記インク受容層を形成する工程を有することを特徴とする記録媒体の製造方法。
【請求項１０】
前記バインダーが、シラノール基を有するポリビニルアルコールである請求項９に記載の記録媒体の製造方法。
【請求項１１】
前記アルミナ粒子を含有する塗工液の乾燥塗工量が、１５ｇ／ｍ２以上４２ｇ／ｍ２以下であり、前記シリカ粒子及びシラノール基を有するポリビニルアルコールを含有する塗工液の乾燥塗工量が、０．３ｇ／ｍ２以上２．０ｇ／ｍ２以下である請求項１０に記載の記録媒体の製造方法。
【手続補正２】
【補正対象書類名】明細書
【補正対象項目名】発明の名称
【補正方法】変更
【補正の内容】
【発明の名称】記録媒体及びその製造方法
【手続補正３】
【補正対象書類名】明細書
【補正対象項目名】０００１
【補正方法】変更
【補正の内容】
【０００１】
本発明は記録媒体及びその製造方法に関する。
【手続補正４】
【補正対象書類名】明細書
【補正対象項目名】０００６
【補正方法】変更
【補正の内容】
【０００６】
したがって、本発明の目的は、耐傷性及びインク吸収性が高く、得られる画像の発色性に優れる記録媒体体及びその製造方法を提供することにある。
【手続補正５】
【補正対象書類名】明細書
【補正対象項目名】０００８
【補正方法】変更
【補正の内容】
【０００８】
（エッチング条件）
アルゴンガスを用い、前記アルゴンガスの出力を２５．６Ｗ（４ｋＶ×６．４μＡ）とし、エッチング角度４５度でエッチングを行う。
また、本発明にかかる記録媒体の製造方法は、前記記録媒体を製造する記録媒体の製造方法であって、基材上に、アルミナ粒子を含有する塗工液と、シリカ粒子及びバインダーを含有する塗工液とを同時多層塗工法により塗工することで前記インク受容層を形成する工程を有することを特徴とする。
【手続補正６】
【補正対象書類名】明細書
【補正対象項目名】０００９
【補正方法】変更
【補正の内容】
【０００９】
本発明によれば、耐傷性及びインク吸収性が高く、得られる画像の発色性に優れる記録媒体及びその製造方法を提供することができる。
【手続補正書】
【提出日】平成27年11月11日(2015.11.11)
【手続補正１】
【補正対象書類名】特許請求の範囲
【補正対象項目名】全文
【補正方法】変更
【補正の内容】
【特許請求の範囲】
【請求項１】
液体を吐出する複数のノズルが配置されたノズル面を有するヘッドモジュールを複数繋ぎ合わせた液体吐出ヘッドのメンテナンス方法であって、
隣り合うヘッドモジュールと隙間を介して対向するヘッドモジュールの側面には、フッ素を含有する撥水材料を塗布した撥水膜を有し、
前記隙間に洗浄液を侵入させる工程と、前記隙間の洗浄液を吸い取る工程と、を有する液体吐出ヘッドのメンテナンス方法。
【請求項２】
前記ヘッドモジュールの側面は、ガラスフィラー入りのプラスチック材料で構成され、
前記撥水膜は、前記ガラスフィラー入りのプラスチック材料の上に、メトキシ基で終端されたフッ素系シランカップリング剤を塗布し、加湿したものである請求項１に記載の液体吐出ヘッドのメンテナンス方法。
【請求項３】
前記隙間に洗浄液を侵入させる工程は、噴射ノズルで前記洗浄液を噴射することで前記隙間に前記洗浄液を侵入させ、
前記隙間の洗浄液を吸い取る工程は、吸い取り部材で前記洗浄液を吸い取る請求項１又は２に記載の液体吐出ヘッドのメンテナンス方法。
【請求項４】
前記吸い取り部材は、繊維布である請求項３に記載の液体吐出ヘッドのメンテナンス方法。
【請求項５】
前記繊維布は、ポリエチレンテレフタレート樹脂からなる繊維布である請求項４に記載の液体吐出ヘッドのメンテナンス方法。
【請求項６】
前記隙間の洗浄液を吸い取る工程は、更に、吸引ノズルで前記洗浄液を吸引する請求項３から５のいずれか１項に記載の液体吐出ヘッドのメンテナンス方法。
【請求項７】
前記隙間に洗浄液を侵入させる工程と前記隙間の洗浄液を吸い取る工程は、一定期間毎に行う請求項１から６のいずれか１項に記載の液体吐出ヘッドのメンテナンス方法。
【請求項８】
前記撥水材料の塗布は、２回以上行う請求項１から７のいずれか１項に記載の液体吐出ヘッドのメンテナンス方法。
【請求項９】
前記撥水膜は、前記側面の全面に形成されている請求項１から８のいずれか１項に記載の液体吐出ヘッドのメンテナンス方法。
【請求項１０】
液体を吐出する複数のノズルが配置されたノズル面を有するヘッドモジュールを複数繋ぎ合わせた液体吐出ヘッドであって、
隣り合うヘッドモジュールと隙間を介して対向するヘッドモジュールの側面は、ガラスフィラー入りのプラスチック材料で構成され、前記ガラスフィラー入りのプラスチック材料の上に、メトキシ基で終端されたフッ素系シランカップリング剤を塗布し、加湿した撥水膜を有する液体吐出ヘッド。
【手続補正２】
【補正対象書類名】明細書
【補正対象項目名】００１２
【補正方法】変更
【補正の内容】
【００１２】
ところで、ヘッドモジュール間の隙間に撥水性を付与したとしても、接触角９０°以下の液体においては、インクが侵入する確率を減らすことはできるが、インクの侵入を完全に防ぐことはできない。したがって、隙間にインクが侵入して、そのインクが乾燥してしまうと、隙間の撥水膜は機能しなくなり、更なるインク侵入を許してしまうという問題が生じる。
【手続補正３】
【補正対象書類名】明細書
【補正対象項目名】００１４
【補正方法】変更
【補正の内容】
【００１４】
本発明はこのような事情に鑑みてなされたものであり、ヘッドモジュール間の隙間への液体の入り込みを抑制し、隙間に液体が入り込んでも耐久性を有し、製造適性のある撥水膜を備え、ヘッドモジュール間の隙間の撥水膜表面を清浄に保つことができる液体吐出ヘッドのメンテナンス方法、液体吐出ヘッドを提供することを目的とする。
【手続補正４】
【補正対象書類名】明細書
【補正対象項目名】００３７
【補正方法】変更
【補正の内容】
【００３７】
本実施態様によれば、ヘッドモジュール間の隙間への液体の入り込みを抑制し、隙間に液体が入り込んでも耐久性を有し、製造適性のある撥水膜を備え、ヘッドモジュール間の隙間の撥水膜表面を清浄に保つことができる。なお、本実施態様によれば、使用して撥水性が低下した場合は、モジュール側面部材を溶剤などで拭き取り洗浄した後、フッ素系シランカップリング剤を再塗布する事も可能である。
【手続補正５】
【補正対象書類名】明細書
【補正対象項目名】００４８
【補正方法】変更
【補正の内容】
【００４８】
処理液ドラム５４の外側には、その周面に対向して処理液塗布装置５６が設けられる。処理液塗布装置５６は、処理液が貯留された処理液容器と、この処理液容器の処理液に一部が浸漬されたアニロックスローラと、アニロックスローラと処理液ドラム５４上の記録媒体２４に圧接されて計量後の処理液を記録媒体２４に転移するゴムローラとで構成される。この処理液塗布装置５６によれば、処理液を計量しながら記録媒体２４に塗布することができる。
【手続補正６】
【補正対象書類名】図面
【補正対象項目名】図１
【補正方法】変更
【補正の内容】
【図１】
2015003491.tif 000001
【手続補正書】
【提出日】平成27年11月19日(2015.11.19)
【手続補正１】
【補正対象書類名】明細書
【補正対象項目名】００８２
【補正方法】変更
【補正の内容】
【００８２】
図７にハーフトーンドット比率テーブルの一例を示した。ハーフトーン（量子化）処理の種類によって様々なハーフトーンドット比率テーブルがあり得る。プリンタ１２で使用されるハーフトーン処理の種類に応じて１つ又は複数のテーブルが用意され、印刷条件に応じて適切なテーブルがセットされる。ハーフトーンドット比率テーブルを用いることで、縮小画像データのある信号値ｊに対して、単位面積あたりの平均的なドットサイズ別の記録比率が特定される。
【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
実行されるジョブのスケジュール画面を表示する表示装置であって、
ジョブの実行に要する時間に応じた長さのオブジェクトを、当該ジョブで使用するシートの種類に対応付けて表示する表示手段と、
前記ジョブで使用するシート収納部を特定する特定手段と、
を有し、
前記表示手段は、前記オブジェクト上に前記特定手段によって特定されたシート収納部を識別する情報を表示することを特徴とする表示装置。
【請求項２】
前記ジョブで使用するシート収納部が複数ある場合、前記特定手段は、前記ジョブで使用する複数のシート収納部を特定し、
前記表示手段は、前記オブジェクト上に前記特定手段によって特定された複数のシート収納部を識別する情報を表示することを特徴とする請求項１に記載の表示装置。
【請求項３】
前記特定手段によって特定されたシート収納部に収納されたシートがなくなった場合に、前記表示手段は、その旨を前記スケジュール画面上に表示することを特徴とする請求項１または２に記載の表示装置。
【請求項４】
前記スケジュール画面の縦軸にシートの種類が表示され、前記スケジュール画面の横軸に時間が表示されることを特徴とする請求項１乃至３の何れか１項に記載の表示装置。
【請求項５】
前記シート収納部を識別する情報は、シート収納部に割り当てられた識別子であることを特徴とする請求項１乃至４の何れか１項に記載の表示装置。
【請求項６】
前記識別子は、ユーザによって設定可能であることを特徴とする請求項５に記載の表示装置。
【請求項７】
実行されるジョブのスケジュール画面を表示する表示装置の制御方法であって、
ジョブの実行に要する時間に応じた長さのオブジェクトを、当該ジョブで使用するシートの種類に対応付けて表示する表示工程と、
前記ジョブで使用するシート収納部を特定する特定工程とを有し、
前記表示工程では、前記オブジェクト上に前記特定工程で特定されたシート収納部を識別する情報を表示することを特徴とする表示装置の制御方法。
【請求項８】
請求項１乃至６の何れか１項に記載の各手段としてコンピューターを機能させるためのプログラム。
【手続補正２】
【補正対象書類名】明細書
【補正対象項目名】０００６
【補正方法】変更
【補正の内容】
【０００６】
上記目的を達成する本発明の表示装置は以下に示す構成を備える。
実行されるジョブのスケジュール画面を表示する表示装置であって、ジョブの実行に要する時間に応じた長さのオブジェクトを、当該ジョブで使用するシートの種類に対応付けて表示する表示手段と、前記ジョブで使用するシート収納部を特定する特定手段と、
を有し、前記表示手段は、前記オブジェクト上に前記特定手段によって特定されたシート収納部を識別する情報を表示することを特徴とする。
【手続補正書】
【提出日】平成28年6月17日(2016.6.17)
【手続補正１】
【補正対象書類名】明細書
【補正対象項目名】００３０
【補正方法】変更
【補正の内容】
【００３０】
図４（Ａ）及び（Ｂ）は、本実施形態に係る印刷装置１０１の動作の一例を示している。図４（Ａ）及び（Ｂ）では、印刷装置１０１が記憶（保存）している、給紙部７３５，７３６（ここでは給紙部７３５として説明する。）に積載された用紙のサイズを示す用紙サイズ情報を示している。印刷装置１０１は、用紙サイズ情報を、ＮＶＭＥＭ３０４に格納した状態で記憶している。なお、図４（Ａ）及び（Ｂ）に示す「不明」とは、用紙サイズ情報が消去された状態（未設定の状態）に対応し、給紙部７３５に積載された用紙のサイズが検知されておらず、当該サイズを印刷装置１０１が記憶していない状態を示している。また、印刷装置１０１の電源の起動時に、記憶していた用紙サイズ情報を消去する。なお、本実施形態では、印刷装置１０１は、給紙部７３５，７３６がユーザによって開閉されても、記憶していた用紙サイズ情報を消去しないものとする。
【手続補正２】
【補正対象書類名】明細書
【補正対象項目名】００３３
【補正方法】変更
【補正の内容】
【００３３】
図４（Ａ）には、印刷装置１０１が、Ａ４サイズの用紙への印刷処理の完了後、Ａ５サイズの用紙の使用を指定した印刷指示を受けた場合を示している。この場合、記憶している用紙サイズ（Ａ４）と、印刷指示で指定された用紙サイズ（Ａ５）との不一致が生じたことにより、印刷装置１０１は、印刷処理の実行を中断し、Ａ５サイズの用紙への交換を促すメッセージを表示部３５０に表示する。ここで、印刷指示を受ける前に、積載されている用紙がＡ４サイズの用紙からＡ５サイズの用紙に交換されていた場合にも、印刷装置１０１は、印刷処理の実行を中断してメッセージを表示することになる。これは、給紙部７３５には用紙のサイズ及び有無を検知するためのセンサが設けられておらず、用紙が交換されたことを印刷装置１０１が認識できないためである。
【手続補正３】
【補正対象書類名】明細書
【補正対象項目名】００３６
【補正方法】変更
【補正の内容】
【００３６】
そこで、本実施形態で、印刷装置１０１は、用紙の交換に伴って不必要に印刷処理を中断するのを避けるための仕組みを提供する。具体的には、図４（Ｂ）に示すように、印刷処理を実行していない間に、用紙サイズ情報を記憶している状態でユーザによってＰａｐｅｒキー３４１が操作されると、印刷装置１０１は、ＮＶＭＥＭ３０４に保存されている用紙サイズ情報をクリア（消去）する。このように、印刷装置１０１は、記憶している用紙サイズ情報を消去することで、その後に印刷指示を受けた際には、用紙サイズ情報を記憶していない状態となる。この状態で印刷処理を開始した際には、印刷装置１０１は、印刷指示で指定されている用紙のサイズによらず給紙部７３５から給紙して、印刷処理を実行する。したがって、図４（Ｂ）に示すように、Ｐａｐｅｒキー３４１が操作された後に、Ａ５サイズの用紙の使用を指定した印刷指示を受けたとしても、印刷処理が中断されることを回避できるとともに、用紙交換を促すメッセージが表示されることもなくなる。
【手続補正４】
【補正対象書類名】明細書
【補正対象項目名】００４１
【補正方法】変更
【補正の内容】
【００４１】
ＣＰＵ３０１が、プリンタ部Ｉ／Ｆ３２２を介して、プリンタ部３３０に印刷処理の実行を指示すると、プリンタ部３３０からＣＰＵ３０１に、給紙部７３５から用紙の給紙を開始したことを示す信号が伝送される。印刷処理の実行によって給紙部７３５から給紙され、搬送路において用紙が搬送されている際には、搬送路に設けられた用紙長検知センサ７４１によって、搬送中の用紙のサイズが検知される。プリンタ部３３０は、用紙長検知センサ７４１からの出力情報をプリンタ部Ｉ／Ｆ３２２を介してＣＰＵ３０１に伝送する。ＣＰＵ３０１は、用紙長検知センサ７４１からの出力情報に基づいて、搬送中の用紙のサイズを検知し、検知した用紙サイズを示す情報を、印刷処理の完了までＲＡＭ３０３に保持しておく。また、プリンタ部３３０は、給紙部７３５から搬送路に用紙が給紙されず、給紙部７３５に積載されている用紙がなくなったと判断した場合には、そのことをＣＰＵ３０１に通知する。これにより、ＣＰＵ３０１は、印刷処理の実行中に、用紙切れが生じたことを検知可能である。
【手続補正５】
【補正対象書類名】明細書
【補正対象項目名】００４４
【補正方法】変更
【補正の内容】
【００４４】
また、用紙エラーが発生した場合、ＣＰＵ３０１は、上述のように、給紙部７３５に積載されている用紙を、印刷指示で指定されているサイズの用紙への交換を促すメッセージを表示部３５０に表示する。ユーザは、用紙の交換を行って、Ｐａｐｅｒキー３４１を押下することで、印刷装置１０１に印刷処理の実行を再開させることが可能である。この場合、ＣＰＵ３０１は、Ｐａｐｅｒキー３４１が押下されると、給紙部７３５に積載されている用紙が交換されたと判断し、Ｓ５０７で、印刷処理の実行を再開するよう、プリンタ部３３０を制御する。
【手続補正６】
【補正対象書類名】明細書
【補正対象項目名】００４７
【補正方法】変更
【補正の内容】
【００４７】
Ｓ５１０で、ＣＰＵ３０１は、印刷処理の実行中に検知した用紙サイズに対応する用紙サイズ情報を、給紙部７３５に積載された用紙のサイズを示すサイズ情報としてＮＶＭＥＭ３０４に保存する。なお、図４では、印刷指示により複数枚の用紙が給紙部７３５から連続して給紙され、印刷が行われる場合には、当該複数枚の用紙の全ての排紙が完了した際に、用紙サイズ情報を保存する例を示している。しかし、１枚目の用紙の排紙が完了した際に、用紙サイズ情報を保存してもよい。
【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
連続するシート状の搬送物をロールの状態で収容するロール収容部と、
前記搬送物の長さ方向に沿って形成されている係合孔に、順次、係合部を係合させながら前記ロール収容部に収容される搬送物を搬送するトラクターと、
前記ロール収容部に収容される搬送物を前記トラクター側へ繰り出すロール駆動部と、
前記ロール収容部と前記トラクター間の前記搬送物のたるみを検出するたるみ検出部と、
前記たるみ検出部の検出値に基づいて、前記ロール駆動部を制御する制御部と、を有する
ことを特徴とする搬送装置。
【請求項２】
請求項１において、
前記制御部は、前記たるみ検出部が前記搬送物のたるみを検出しなくなった時は、前記ロール駆動部を駆動させて、前記搬送物を前記トラクター側へ繰り出す
ことを特徴とする搬送装置。
【請求項３】
請求項１あるいは２において、
前記制御部は、前記たるみ検出部が前記搬送物のたるみを検出している間は、前記ロール駆動部を停止させる
ことを特徴とする搬送装置。
【請求項４】
請求項１乃至３のいずれか１項において、更に、
前記トラクターの搬送方向の下流側で前記搬送物を搬送する紙送りローラーを有する
ことを特徴とする搬送装置。
【請求項５】
請求項４において、
前記搬送物の搬送中に、前記紙送りローラーは駆動し、前記トラクターは従動する
ことを特徴とする搬送装置。
【請求項６】
請求項４あるいは５において、
前記ロール駆動部は前記紙送りローラーとは独立して駆動する
ことを特徴とする搬送装置。
【請求項７】
請求項１乃至６のいずれか１項において、
前記搬送物の搬送は間欠的に行われる
ことを特徴とする搬送装置。
【請求項８】
請求項１乃至７のいずれか１項に記載の搬送装置を備え、前記搬送物に対して印刷処理を実行する印刷装置。
【請求項９】
連続するシート状の搬送物をロールの状態で収容するロール収容部と、前記搬送物の長さ方向に沿って形成されている係合孔に、順次、係合部を係合させながら前記ロール収容部に収容される搬送物を搬送するトラクターと、前記ロール収容部に収容される搬送物を前記トラクター側へ繰り出すロール駆動部と、前記ロール収容部と前記トラクター間の前記搬送物のたるみを検出するたるみ検出部と、を備える搬送装置における搬送方法であって、
前記たるみ検出部の検出値に基づいて、前記ロール駆動部を制御する
ことを特徴とする搬送方法。
【請求項１０】
請求項９において、
前記たるみ検出部が前記搬送物のたるみを検出しなくなった時は、前記ロール駆動部を駆動させて、前記搬送物を前記トラクター側へ繰り出し、
前記たるみ検出部が前記搬送物のたるみを検出している間は、前記ロール駆動部を停止させる
ことを特徴とする搬送方法。
【手続補正書】
【提出日】平成27年11月10日(2015.11.10)
【手続補正１】
【補正対象書類名】特許請求の範囲
【補正対象項目名】全文
【補正方法】変更
【補正の内容】
【特許請求の範囲】
【請求項１】
平面視で同心円状に間隔を空けて配置された部材の間にディスク状のゲッター部材を収納するゲッター部材収納具。
【請求項２】
前記部材は、前記ゲッター部材の厚さよりも広い間隔を空けて対向させた円筒形の網状部材であり、
さらに、前記網状部材の間の下部に網状部材を設け、袋状にしたことを特徴とする請求項１に記載のゲッター部材収納具。
【請求項３】
前記部材は、前記ゲッター部材の厚さよりも広い間隔を空けて並行する第１及び第２線状部材であり、
さらに、前記第１線状部材と前記第２線状部材との間を橋渡しし、前記同心円の円周に沿って前記ゲッター部材の直径よりも狭い間隔をおいて設けられた複数の第３線状部材を有することを特徴とする請求項１に記載のゲッター部材収納具。
【請求項４】
平面視で同心円状に間隔を空けて配置された部材の間にディスク状のゲッター部材が収納されたことを特徴とするゲッター装置。
【請求項５】
複数の前記ゲッター部材が、縦置きに、かつ相互に重ならないように収納されたことを特徴とする請求項４に記載のゲッター装置。
【請求項６】
前記ゲッター部材は、非蒸発性ゲッター合金の粉末を固めたものであることを特徴とする請求項４記載のゲッター装置。
【請求項７】
容器と、
前記容器の内壁に沿って設けられ、平面視で同心円状に間隔を空けて配置された部材の間にディスク状のゲッター部材が収納されたゲッター装置と、
前記ゲッター部材を加熱する加熱手段と
を有することを特徴とするゲッターポンプ。
【請求項８】
容器と、
前記容器内に収容され、片方の板面が前記容器の内壁に接触するように置かれたディスク状のゲッター部材と、
前記ゲッター部材の他方の板面を覆う網状部材と、
前記ゲッター部材を加熱する加熱手段と
を有することを特徴とするゲッターポンプ。
【請求項９】
前記部材は、前記ゲッター部材の厚さよりも広い間隔を空けて対向させた円筒形の網状部材であり、
さらに、前記網状部材の間の下部に網状部材を設け、袋状にしたことを特徴とする請求項７記載のゲッターポンプ。
【請求項１０】
前記部材は、前記ゲッター部材の厚さよりも広い間隔を空けて並行する第１及び第２線状部材であり、
さらに、前記第１線状部材と前記第２線状部材との間を橋渡しし、前記同心円の円周に沿って前記ゲッター部材の直径よりも狭い間隔をおいて設けられた複数の第３線状部材を有することを特徴とする請求項７記載のゲッターポンプ。
【請求項１１】
前記加熱手段は、前記容器の中央部に前記ゲッター部材に対面するように配置されていることを特徴とする請求項７乃至１０のいずれか１項に記載のゲッターポンプ。
【請求項１２】
前記加熱手段は線状又は帯状のヒータであり、前記ヒータが前記網状部材の外周面及び内周面の少なくとも一方に取り付けられたことを特徴とする請求項７乃至１０のいずれか１項に記載のゲッターポンプ。
【請求項１３】
前記容器の材料は、ベリリウム銅合金、又は、アルミニウム銅合金であることを特徴とする請求項７又は８のいずれか１項に記載のゲッターポンプ。
【手続補正２】
【補正対象書類名】明細書
【補正対象項目名】００１４
【補正方法】変更
【補正の内容】
【００１４】
上記課題を解決するため、一観点によれば、平面視で同心円状に間隔を空けて配置された部材の間にディスク状のゲッター部材を収納するゲッター部材収納具が提供される。
【手続補正３】
【補正対象書類名】明細書
【補正対象項目名】００１５
【補正方法】変更
【補正の内容】
【００１５】
別の観点によれば、平面視で同心円状に間隔を空けて配置された部材の間にディスク状のゲッター部材が収納されたことを特徴とするゲッター装置が提供される。
【手続補正４】
【補正対象書類名】明細書
【補正対象項目名】００１６
【補正方法】変更
【補正の内容】
【００１６】
更に別の観点によれば、容器と、前記容器の内壁に沿って設けられ、平面視で同心円状に間隔を空けて配置された部材の間にディスク状のゲッター部材が収納されたゲッター装置と、前記ゲッター部材を加熱する加熱手段とを有することを特徴とするゲッターポンプが提供される。
【手続補正５】
【補正対象書類名】明細書
【補正対象項目名】００１７
【補正方法】変更
【補正の内容】
【００１７】
本発明によれば、平面視で同心円状に間隔を空けて配置された部材の間にディスク状のゲッター部材が収納されているので、ゲッター部材は広い面が同心円の中央部に対面するように配置することができる。
【手続補正６】
【補正対象書類名】明細書
【補正対象項目名】００１８
【補正方法】変更
【補正の内容】
【００１８】
これにより、同心円の中央部に加熱手段を配置することで、加熱手段からの輻射熱がゲッター部材の広い面にほぼ垂直に入射するため、加熱手段からの輻射熱を効率良くゲッター部材に伝達することができる。
【手続補正書】
【提出日】平成28年2月11日(2016.2.11)
【手続補正１】
【補正対象書類名】特許請求の範囲
【補正対象項目名】全文
【補正方法】変更
【補正の内容】
【特許請求の範囲】
【請求項１】
合成樹脂により成形され、流体回路に用いられるコネクタ部材であって、
少なくとも２つの中空の管状部を有すると共に、前記２つの管状部は連結部によって互いに一体化されており、
前記管状部のそれぞれに、射出成形のゲート痕が存在しており、
連結部には、隣接するそれぞれの管状部に近接して、複数の流れ制御部が形成され、
一方の管状部の側の流れ制御部が、射出された樹脂が一方の管状部から連結部に流れ込む流れを絞る形態に形成され、
他方の管状部の側の流れ制御部は、前記流れがそのまま他方の管状部に流れ込まないように、前記流れをさえぎる面を有する形状とされたコネクタ部材。
【請求項２】
連結部は板状に形成され、流れ制御部は凹部に形成され、連結部と一方の管状部との接続部近傍には、板状連結部の表側に凹部が形成され、連結部と他方の管状部との接続部近傍には、板状連結部の裏側に凹部が形成されている
請求項１に記載のコネクタ部材。            
【請求項３】
流れ制御部は穴又は切り欠きに形成され、一方の管状部から連結部に流れ込んだ樹脂の流れの延長線上に他方の管状部に近接して穴又は切り欠きが設けられた
請求項１に記載のコネクタ部材。
【請求項４】
管状部に存在するゲート痕がリング状のゲート痕である請求項１ないし請求項３のいずれかに記載のコネクタ部材。
【手続補正２】
【補正対象書類名】明細書
【補正対象項目名】０００９
【補正方法】変更
【補正の内容】
【０００９】
本発明は、合成樹脂により成形され、流体回路に用いられるコネクタ部材であって、少なくとも２つの中空の管状部を有すると共に、前記２つの管状部は連結部によって互いに一体化されており、前記管状部のそれぞれに、射出成形のゲート痕が存在しており、連結部には、隣接するそれぞれの管状部に近接して、複数の流れ制御部が形成され、一方の管状部の側の流れ制御部が、射出された樹脂が一方の管状部から連結部に流れ込む流れを絞る形態に形成され、他方の管状部の側の流れ制御部は、前記流れがそのまま他方の管状部に流れ込まないように、前記流れをさえぎる面を有する形状とされたコネクタ部材である（第１発明）。
【手続補正３】
【補正対象書類名】明細書
【補正対象項目名】００１０
【補正方法】変更
【補正の内容】
【００１０】
本発明においては、連結部は板状に形成され、流れ制御部は凹部に形成され、連結部と一方の管状部との接続部近傍には、板状連結部の表側に凹部が形成され、連結部と他方の管状部との接続部近傍には、板状連結部の裏側に凹部が形成されることが好ましい（第２発明）。あるいは、本発明においては、流れ制御部は穴又は切り欠きに形成され、一方の管状部から連結部に流れ込んだ樹脂の流れの延長線上に他方の管状部に近接して穴又は切り欠きが設けられることが好ましい（第３発明）。また、本発明においては、管状部に存在するゲート痕がリング状のゲート痕であることが好ましい（第４発明）。
【手続補正４】
【補正対象書類名】明細書
【補正対象項目名】００１２
【補正方法】変更
【補正の内容】
【００１２】
また、第４発明のように、管状部に存在するゲート痕がリング状のゲート痕であれば、コネクタ部材の耐圧性がより確実に確保される。
【手続補正書】
【提出日】平成28年2月17日(2016.2.17)
【手続補正１】
【補正対象書類名】特許請求の範囲
【補正対象項目名】全文
【補正方法】変更
【補正の内容】
【特許請求の範囲】
【請求項１】
シート状ベース基材上の所定の位置に複数の強化繊維束を少なくとも一方向に配置し接着してプリフォーム作製用基材を製造する方法であって、前記ベース基材として、前記強化繊維束と交差する方向に延びる切り込みを有する基材を用いることを特徴とする、プリフォーム作製用基材の製造方法。
【請求項２】
前記強化繊維束を、前記ベース基材上に該強化繊維束の延在方向において間欠的に接着する、請求項１に記載のプリフォーム作製用基材の製造方法。
【請求項３】
前記ベース基材が、少なくとも前記強化繊維束と直交する方向に延びる切り込みを有する、請求項１または２に記載のプリフォーム作製用基材の製造方法。
【請求項４】
前記ベース基材が、互いに異なる複数の方向に延びる切り込みを有する、請求項１〜３のいずれかに記載のプリフォーム作製用基材の製造方法。
【請求項５】
前記ベース基材上に、前記複数の強化繊維束からなる層を少なくとも一層設ける、請求項１〜４のいずれかに記載のプリフォーム作製用基材の製造方法。
【請求項６】
前記ベース基材上に、前記複数の強化繊維束が互いに異なる方向に配置された複数の層を設ける、請求項１〜５のいずれかに記載のプリフォーム作製用基材の製造方法。
【請求項７】
前記ベース基材上に、前記複数の強化繊維束が互いに異なる方向に配置された複数の層を積層し、２層目以上の層には、バインダーが付与された強化繊維束を用いる、請求項１〜６のいずれかに記載のプリフォーム作製用基材の製造方法。
【請求項８】
前記強化繊維束を、前記ベース基材上に点接着する、請求項１〜７のいずれかに記載のプリフォーム作製用基材の製造方法。
【請求項９】
前記強化繊維束を、前記ベース基材上にランダムに点接着する、請求項１〜８のいずれかに記載のプリフォーム作製用基材の製造方法。
【請求項１０】
前記強化繊維束を、前記ベース基材上に全面にわたって接着する、請求項１〜９のいずれかに記載のプリフォーム作製用基材の製造方法。
【請求項１１】
前記ベース基材が、伸長性を有するものからなる、請求項１〜１０のいずれかに記載のプリフォーム作製用基材の製造方法。
【請求項１２】
前記ベース基材が、不織布からなる、請求項１〜１１のいずれかに記載のプリフォーム作製用基材の製造方法。
【請求項１３】
前記ベース基材が、マットからなる、請求項１〜１１のいずれかに記載のプリフォーム作製用基材の製造方法。
【請求項１４】
前記ベース基材が、熱可塑性樹脂からなる、請求項１〜１３のいずれかに記載のプリフォーム作製用基材の製造方法。
【請求項１５】
前記ベース基材が、前記強化繊維束を構成する強化繊維とは異種の強化繊維からなる、請求項１〜１３のいずれかに記載のプリフォーム作製用基材の製造方法。
【請求項１６】
前記ベース基材と前記強化繊維束からなるプリフォーム作製用基材を複数積層する、請求項１〜１５のいずれかに記載のプリフォーム作製用基材の製造方法。
【請求項１７】
請求項１〜１６のいずれかに記載の方法により製造されたプリフォーム作製用基材と賦形型を用いて所定の３次元形状を有するプリフォームを賦形する、プリフォームの製造方法。
【請求項１８】
請求項１７に記載の方法により製造されたプリフォームを用いて繊維強化プラスチックをＲＴＭ成形する、繊維強化プラスチックの製造方法。
【請求項１９】
請求項１〜１６のいずれかに記載の方法により製造されたプリフォーム作製用基材と成形型を用いて所定の３次元形状を有するプリフォームを賦形するとともに繊維強化プラスチックをＲＴＭ成形する、繊維強化プラスチックの製造方法。
【請求項２０】
予め定められた所定の方向に延びる切り込みを有するシート状ベース基材と、該ベース基材上の所定の位置に少なくとも一方向に配置され接着される複数の強化繊維束との少なくとも一方を、２次元方向に相対的に移動制御する手段を有することを特徴とする、請求項１〜１６のいずれかに記載の方法により製造されるプリフォーム作製用基材の製造装置。
【手続補正２】
【補正対象書類名】明細書
【補正対象項目名】発明の名称
【補正方法】変更
【補正の内容】
【発明の名称】プリフォーム作製用基材の製造方法と装置、および、プリフォームと繊維強化プラスチックの製造方法
【手続補正３】
【補正対象書類名】明細書
【補正対象項目名】０００１
【補正方法】変更
【補正の内容】
【０００１】
本発明は、プリフォーム作製用基材の製造方法および製造装置、並びに、その方法により製造されたプリフォーム作製用基材を用いるプリフォームの製造方法と繊維強化プラスチックの製造方法に関する。
【手続補正４】
【補正対象書類名】明細書
【補正対象項目名】０００８
【補正方法】変更
【補正の内容】
【０００８】
そこで本発明の課題は、細かい凹凸や曲面の存在する３次元形状にも精度よくしかも容易に賦形できるように、とくに賦形性を向上することが可能な、併せて使用基材の歩留まりの改善も可能な、新しいプリフォーム作製用基材の製造方法および製造装置、並びに、その方法により製造されたプリフォーム作製用基材を用いるプリフォームの製造方法および繊維強化プラスチックの製造方法を提供することにある。
【手続補正５】
【補正対象書類名】明細書
【補正対象項目名】００２４
【補正方法】変更
【補正の内容】
【００２４】
本発明では、上記のような方法により製造されたプリフォーム作製用基材が提供される。
【手続補正６】
【補正対象書類名】明細書
【補正対象項目名】００２６
【補正方法】変更
【補正の内容】
【００２６】
本発明では、上記のようなプリフォームの製造方法により製造されたプリフォームが提供される。
【手続補正書】
【提出日】平成28年3月9日(2016.3.9)
【手続補正１】
【補正対象書類名】特許請求の範囲
【補正対象項目名】全文
【補正方法】変更
【補正の内容】
【特許請求の範囲】
【請求項１】
ボウル面に光触媒層が形成された便器に設置されて用いられる、吐水口から洗浄水を噴
射して使用者の身体を洗浄する洗浄ノズルを備えてなる衛生洗浄装置であって、その内部
に設けられた通水配管が、シリコーンを溶出しない材料で構成されてなることを特徴とす
る、衛生洗浄装置。
【請求項２】
前記洗浄ノズルの吐水口から洗浄水が噴射された後、光触媒層が形成されてなる便器ボ
ウル面に水滴として付着した前記洗浄水が乾燥する前に、前記便器ボウル面を洗浄する便
器洗浄手段をさらに有してなる、請求項１に記載の衛生洗浄装置。
【請求項３】
水道水から殺菌水を生成する殺菌水生成ユニットと、前記殺菌水が通る通水配管と、便
器洗浄後に前記便器ボウル面に前記殺菌水を噴霧する噴霧ノズルとをさらに備えてなり、
前記噴霧ノズルが、前記便器洗浄手段動作後、前記便器ボウル面に残った水が乾燥する前に前記殺菌水を噴霧するものである、請求項２に記載の衛生洗浄装置。
【請求項４】
前記通水配管のうち、前記洗浄水が通る通水配管、水道水が通る通水配管、または前記殺菌水が通る通水配管が、熱可塑性樹脂からなるものである、請求項３に記載の衛生洗浄装置。
【請求項５】
前記洗浄水が通る通水配管、前記水道水が通る通水配管、又は前記殺菌水が通る通水配管が、オレフィン系エラストマからなるものである、請求項４に記載の衛生洗浄装置。
【請求項６】
前記通水配管のうち、酸性水が通る通水配管、又はアルカリ水が通る通水配管が、合成
ゴムからなるものである、請求項１〜３のいずれか一項に記載の衛生洗浄装置。
【請求項７】
前記酸性水が通る通水配管、又は前記アルカリ水が通る通水配管が、エチレンプロピレンゴムからなるものである、請求項６に記載の衛生洗浄装置。
【請求項８】
前記通水配管のうち、酸性水が通る通水配管、又はアルカリ水が通る通水配管が、熱可
塑性樹脂からなるものである、請求項１〜３のいずれか一項に記載の衛生洗浄装置。
【請求項９】
前記酸性水が通る通水配管、又は前記アルカリ水が通る通水配管が、オレフィン系エラストマからなるものである、請求項８に記載の衛生洗浄装置。
【請求項１０】
前記シリコーンを溶出しない材料が、前記シリコーンの溶出量が７２５ｐｐｂ以下のものである、請求項１〜９のいずれか一項に記載の衛生洗浄装置。
【手続補正書】
【提出日】平成28年2月5日(2016.2.5)
【手続補正１】
【補正対象書類名】明細書
【補正対象項目名】０００２
【補正方法】変更
【補正の内容】
【０００２】
トラック等に搭載されるファン駆動装置として、エンジンの出力軸とエンジンを冷却するためのラジエータのファンとの間に粘性カップリングが設けられ、ラジエータ冷却水の温度をラジエータからの放熱温度として感知してファンの回転を制御するように構成されたもの、がある（例えば、特許文献１および特許文献２参照）。
【手続補正２】
【補正対象書類名】明細書
【補正対象項目名】０００３
【補正方法】変更
【補正の内容】
【０００３】
【特許文献１】特開昭５８−１１７３１３号公報
【特許文献２】実開昭６２−１３５８２１号公報
【手続補正３】
【補正対象書類名】明細書
【補正対象項目名】０００５
【補正方法】変更
【補正の内容】
【０００５】
本発明は、このような駆動動力の差を回収したり、また、回収した動力を再生利用することができるファン駆動装置を提供することを目的とする。
【手続補正４】
【補正対象書類名】図面
【補正対象項目名】図２
【補正方法】変更
【補正の内容】
【図２】
2014159762.tif 000001